(57)【特許請求の範囲】
【請求項１】
貯蔵室の前面開口を引き戸式扉にて開閉自在に閉塞して成るショーケースにおいて、
前記開口の下縁に設けられ、前記扉が移動自在に嵌め込まれたレールと、このレールに設けられ、前記扉を開放した際に当該扉が当接するストッパーと、このストッパー近傍の前記レールの端部に形成された排水口とを備え、前記ストッパーは、前記レールの端部からその長手方向に所定寸法で突出し、レール上に載置された取付具と、この取付具の先端に設けられ、前記扉が当接するクッション材とから成り、前記取付具内には、当該取付具内外の前記レール上の空間を連通する連通部を構成したことを特徴とするショーケース。
【発明の詳細な説明】
【０００１】
【発明の属する技術分野】
本発明は、貯蔵室の前面開口を引き戸式扉にて開閉自在に閉塞して成るショーケースに関するものである。
【０００２】
【従来の技術】
従来よりこの種のショーケースにおいては、貯蔵室の前面開口上下に取り付けたレールに前後二枚の引き戸式扉を嵌め込み、これらを左右に移動させて開口を開閉自在に閉塞している。
【０００３】
また、扉に付着した結露水は当該扉を伝ってレール上に流下するが、係る結露水はレールから貯蔵室内に誘導され、貯蔵室内に生じた廃水と共に排出されていた。
【０００４】
【発明が解決しようとする課題】
ここで、扉から流下する結露水を排出する排水口をレールに形成した場合、クッション材が邪魔となる。即ち、この種ショーケースは、前面開口に取り付けられた扉を左右に移動させ開放した際に、扉の端部が開口端部と当接した場合、扉と開口縁との間に指を挟んでしまう問題がある。そのためにクッション材が取り付けられるものであるが、係るクッション材が開口端部に取り付けられると、排水口に向かう結露水の邪魔となり、排水が円滑に行われなくなる問題が生じる。
【０００５】
そこで本発明は、前面開口に取り付けられた扉を左右に移動させ、開放した際に扉と開口縁間に指などが挟まって損傷を生じること無く、結露水の排水も円滑に行えるようにしたショーケースを提供することを目的とするものである。
【０００６】
【課題を解決するための手段】
本発明のショーケースは、貯蔵室の前面開口を引き戸式扉にて開閉自在に閉塞して成るものであって、開口の下縁に設けられ、扉が移動自在に嵌め込まれたレールと、このレールに設けられ、扉を開放した際に当該扉が当接するストッパーと、このストッパー近傍のレールの端部に形成された排水口とを備え、ストッパーは、レールの端部からその長手方向に所定寸法で突出し、レール上に載置された取付具と、この取付具の先端に設けられ、扉が当接するクッション材とから成り、取付具内には、当該取付具内外のレール上の空間を連通する連通部を構成したことを特徴とする。
【０００７】
本発明によれば、貯蔵室の前面開口を引き戸式扉にて開閉自在に閉塞して成るショーケースにおいて、開口の下縁に設けられ、扉が移動自在に嵌め込まれたレールと、このレールに設けられ、扉を開放した際に当該扉が当接するストッパーと、このストッパー近傍のレールの端部に形成された排水口とを備え、ストッパーを、レールの端部からその長手方向に所定寸法で突出し、レール上に載置された取付具と、この取付具の先端に設けられ、扉が当接するクッション材とから構成したので、扉を全開としても開口縁には当接せず、クッション材に当接することになり、指を挟むことを未然に防止することができる。
【０００８】
特に、レール上に載置された取付具内には、取付具内外のレール上の空間を連通する連通部を備えたので、扉に生じてレール上に滴下した結露水は取付具内に形成された連通部を経て排水口に至り、円滑に排出されるようになる。
【０００９】
【発明の実施の形態】
以下、図面に基づいて本発明の実施形態を詳述する。図１は本発明を適用したショーケース１の斜視図である。ショーケース１は、スーパーマーケットやコンビニエンスストアなどに設置される低温ショーケースで、前面に開口した断熱箱体（断熱壁）２より本体が構成されている。
【００１０】
この断熱箱体２は前面に開口する鋼板製の外箱３と、この外箱３内に間隔を存して組み込まれた前面に開口する鋼板、若しくは、硬質樹脂製の内箱４と、これら外箱３及び内箱４間に囲繞された空間に発泡充填された発泡ポリウレタンから成る断熱材とから構成されており、この内箱４内を前面に開口６を備えた貯蔵室５としている。そして、この貯蔵室５の開口縁に扉装置を構成する硬質合成樹脂製の下レール枠１１、上レール枠（図示せず）、左枠１４、右枠（図示せず）が取り付けられている。
【００１１】
そして、貯蔵室５の前面開口６は上レール枠と下レール枠１１に嵌め込まれた引き戸式の透明ガラス扉７、８にて開閉自在に閉塞されている。また、貯蔵室５内には上部には図示しない冷却装置の冷却器と送風機が設置されており、この冷却器からの冷気を送風機にて強制循環することによって貯蔵室５内は所定の温度（冷蔵・冷凍）に冷却される。また、貯蔵室５内には商品を陳列するための網棚９・・が複数段架設されている。
【００１２】
次に、図２乃至図４を参照してショーケース１の前面開口６部分の構造について説明する。図２はショーケース１の前面開口６下縁部の拡大斜視図、図３は前面開口６下縁の拡大断面図、図４はストッパー１０を外した状態の開口６下縁の拡大斜視図である。前記扉７、８が嵌め込まれる下レール枠１１は、相互に所定の間隔を存して上方に突出し、左右に延在する前後壁１２、１３及び中央壁１５を備え、この前壁１２と中央壁１５間、及び、中央壁１５と後壁１４間に、それぞれ左右に渡る前後のレール１６、１７が構成されている。
【００１３】
ここで、中央壁１５はレール枠１１の端部から所定間隔を存した位置から突出形成がされているものとする。尚、図示されていない上レール枠も下レール枠１１と略同一形状とされている。
【００１４】
また、左枠１４は、相互に所定の間隔を存して貯蔵室５側に突出し、前後に延在する前後壁１８、１９及び中央壁２０を備え、中央壁２０と後壁１９の間には、閉塞時の前記左扉７が当接される。ここで、中央壁２０は、左枠１４の下端から所定間隔を存した位置から突出形成されているものとする。尚、図示しない右枠についても左枠１４と略同一の形状とされており、前壁と中央壁の間に、閉塞時の前記右扉８が当接される。
【００１５】
前記扉７及び８は、何れも周囲の枠状サッシュ２１と、このサッシュ２１内に嵌め込まれた透明板ガラス２２と、扉７、８の下辺のサッシュ２１に取り付けられたローラ２３とから構成されている。
【００１６】
そして、扉７の上辺のサッシュ２１を図示しない上レール枠の後レール内に挿入し、扉７の下辺のサッシュ２１を下レール枠１１の後レール１７内に挿入し、ローラ２３を後レール１７上に滑動自在に載置させる。これにより、扉７を上レール枠と下レール枠１１の後レール１７内に左右方向移動自在に取り付ける。
【００１７】
また、扉８の上辺のサッシュ２１を図示しない上レール枠の前レール内に挿入し、扉８の下辺のサッシュ２１を下レール枠１１の前レール１６内に挿入し、ローラ２３を前レール１６上に滑動自在に載置させる。これにより、扉８を上レール枠と下レール枠１１の前レール１６内に左右方向移動自在に取り付ける。これら扉７及び８の左右移動によって貯蔵室５の開口６は開閉自在に閉塞される。
【００１８】
一方、前記下レール枠１１の後レール１７の向かって左側には、端部から所定間隔を存して排水口２４が形成されており、この排水口２４は、図３に示す如く貯蔵室５の下方にまで垂下して形成された配水管２５に連通して接続されている。この配水管２５は外部にまで引き出されており、排水口２４に流入した結露水などのドレン水を外部に排出される構造とされている。
【００１９】
そして、図４に示す如く左枠１４の下部、即ち、下レール枠１１の左側の端部には、前レール１６から後レール１７に渡ってシール材２６が取り付けられる。このシール材２６は、前記左枠１４の中央壁２０の下方に位置すると共に、下レール枠１１の中央壁１５の端部とは所定間隔をおいて取り付けられる。これにより、下レール枠１１の前レール１６と後レール１７は、中央壁１５とシール材２６との間において連通されている。
【００２０】
そして、前レール１６側のシール材２６上にはストッパー１０が取り付けられ、後レール１７の排水口２４の近傍に位置している。このストッパー１０は、取付具２７と、ゴムなどで形成されたクッション材２８及び取付部２９とから構成されている。取付具２７は、下面及び左枠１４側の側面が開口する箱状部材により構成されており、左枠１４側の上面の端部は、上方に折曲されて前記取付部２９とされている。また、取付具２７の上面には、内径が人の指を挿入できる寸法の開口３０が形成されている。
【００２１】
一方、前記左枠１４の前壁１８と中央壁２０の間には、前記取付具２７の取付部２９をネジ止めにより取り付けるための孔３１が形成されている。この孔３１に取付部２９がネジ止めされた状態で、取付具２７の前面２７Ａ及び後面のクッション材２８側の部分は前レール１６上に載置されると共に、取付部２９側の部分はシール材２６上に位置する。そして、シール材２６との間に図３に示すような三角形状の隙間を構成すると共に、取付具２７のクッション材２８が取り付けられた面の下端と前レール１６面との間にも隙間が形成される。
【００２２】
また、この状態でストッパー１０は左枠１４から右方に所定寸法で突出し、クッション材２８はその先端に位置している。そして、前レール１６とストッパー１０との隙間及び取付具２７の形状により、ストッパー１０内には内外を連通する連通部が構成される。
【００２３】
この状態で、扉８を開閉すると扉８の左下のサッシュ２１は、ストッパー１０のクッション材２８に当接してそれ以上の開放できなくなる（図３）。これにより、扉８を全開としても開口６の左縁、即ち左枠１４には当接せず、指を挟むことを未然に防止することができる。
【００２４】
一方、貯蔵室５内が冷却されることにより、扉８に生じた結露は、扉８の透明板ガラス２２及びサッシュ２１を伝って下レール枠１１に滴下する。下レール枠１１に滴下された結露水は、ストッパー１０の取付具２７と前レール１６との間に形成された隙間を通過してストッパー１０内に入り、内部を通過して前記シール材２６と中央壁１５の間に形成された間隔を通過し、後レール１７に形成された排水口２４に至る。その後、この排水口２４に流入して配水管２５内に排出され、これによって、外部に結露水が排水される。
【００２５】
また、これにより結露水を貯蔵室５内に排出する場合と比して、衛生的に結露水の処理を行うことができるようになる。尚、排水口２４の詰まりやストッパー１０と下レール枠１１間の掃除をする場合には、前記取付具２７の取付部２９のネジを外し、取付具２７の上面に形成された開口３０内に指を差し込んでストッパー１０を持ち上げ、下レール枠１１から外す。これにより、容易に掃除などのメンテナンスを行うことができるようになる。また、排水口２４の詰まりに関しては、ストッパー１０を外すことなく取付具２７の開口３０に棒などを差し込み、排水口２４まで挿入することにより、係る詰まりを解消することもできる。
【００２６】
【発明の効果】
以上詳述した如く本発明によれば、貯蔵室の前面開口を引き戸式扉にて開閉自在に閉塞して成るショーケースにおいて、開口の下縁に設けられ、扉が移動自在に嵌め込まれたレールと、このレールに設けられ、扉を開放した際に当該扉が当接するストッパーと、このストッパー近傍のレールの端部に形成された排水口とを備え、ストッパーを、レールの端部からその長手方向に所定寸法で突出し、レール上に載置された取付具と、この取付具の先端に設けられ、扉が当接するクッション材とから構成したので、扉を全開としても開口縁には当接せず、クッション材に当接することになり、指を挟むことを未然に防止することができる。
【００２７】
特に、レール上に載置された取付具内には、取付具内外のレール上の空間を連通する連通部を備えたので、扉に生じてレール上に滴下した結露水は取付具内に形成された連通部を経て排水口に至り、円滑に排出されるようになる。
【図面の簡単な説明】
【図１】本発明を適用したショーケースの斜視図である。
【図２】本発明を適用したショーケースの前面開口下部の拡大斜視図である。
【図３】ショーケースの前面開口下部の拡大縦断側面図である。
【図４】ストッパーを取り外した状態のショーケースの前面開口下部の拡大斜視図である。
【符号の説明】
１  ショーケース
５  貯蔵室
６  開口
７、８  扉
１０  ストッパー
１１  下レール枠
１４  左枠
１６  前レール
１７  後レール
２４  排水口
２５  配水管
２６  シール材
２７  取付具
２８  クッション材
２９  取付部
３０  開口
【図１】
0003819635.tif 000002
【図２】
0003819635.tif 000003
【図３】
0003819635.tif 000004
【図４】
0003819635.tif 000005